(57)【特許請求の範囲】
【請求項１】
ベッド等におけるサイドフレームに、着脱可能に装着した差し込み式側柵の柵部間を連結して、柵部間に生ずる隙間をカバ−するようにした、長手方向に切り欠いた端面を有する切欠パイプ状杆体によって構成し、この切欠パイプ状杆体内径を、前記柵部を構成する上部横パイプの外径に比較して若干小さめの寸法として、両端側より中間寄りの箇所である中間部を、前記切り欠いた端面が、前記内径と同寸法で開口した状態で形成する一方、前記両端側を、所定の範囲で切り欠いた状態の把持部として、これら把持部は、内径が若干小さくなるように絞り込まれた状態としたことを特徴とするベッド等における側柵間の挟込防止具。
【請求項２】
前記杆体の把持部は、前記柵部外周に弾性的に縮径的に係止するべき寸法で、一部を切り欠いた開ループ状に構成してなることを特徴とする請求項１記載のベッド等における側柵間の挟込防止具。
【請求項３】
前記杆体は、断面略半円筒状に構成し、前記把持部は、杆体の断面略半円筒状の箇所に比較して、円筒に近い箇所として構成したことを特徴とする請求項１記載のベッド等における側柵間の挟込防止具。
【請求項４】
前記把持部は、前記杆体と別部材によって構成したことを特徴とする請求項１記載のベッド等における側柵間の挟込防止具。
【発明の詳細な説明】
【０００１】
【発明の属する技術分野】
本発明は、ベッド等の側面に保持される側柵において、側柵間に生ずる隙間に、首や手を挟めたりすることのないようにした、ベッド等における側柵間の挟込防止具に関するものである。
【０００２】
【従来の技術】
従来、ベッド等、すなわち医療用ベッド、一般用ベッドにかかわらず、ベッド側面には、落下防止のための側柵が設けられるようになっている。かかる側柵には、さまざまな構造のものがあるが、差し込み式の側柵は、構造が単純であり、取り扱いも容易であることからさかんに用いられている。
しかしながら、差し込み式側柵は、あくまで要部側面をカバ−するのみであるから、ベッドの使用状況によっては、さらに広範囲に側面をカバ−する必要があり、そのようなときは、複数の側柵をサイドフレームに差し込むようにすることができる。しかし、それでも側柵と側柵との間には隙間が生じてしまい、かかる隙間に物を挟めたり、人が挟まったり、極端な場合隙間から人が落下したりするおそれがあった。
このために、すでに図１２、図１３に示すような連結柵１が製品化されている。この連結柵１は、ベッドにおけるサイドフレーム２に装着した差込式側柵３、４の柵部３ａ，４ａの上部横パイプ５、６および下部パイプ７、８に外側から挟み込み架け渡すようにした、第１連結横枠９と、第２連結横枠１０とを有し、これら第１連結横枠９と、第２連結横枠１０とを中間部において互いに突設した支柱パイプ１１、１２を軸方向に伸縮可能に連結して固定手段１３により拘束する構成としている。
【０００３】
【発明が解決しようとする課題】
かかる連結柵１では、取り付け方として、柵部３ａ、４ａの上部横パイプ５、６および下部パイプ７、８を、それぞれ上下外側から第１連結横枠９と第２連結横枠１０とにより、挟み込むように、支柱パイプ１１を支柱パイプ１２に対して移動調節し、固定手段１３を操作して、支柱パイプ１１を支柱パイプ１２に対して拘束することで、第１連結横枠９と第２連結横枠１０をそれぞれ、柵部３ａ、４ａの上部横パイプ５、６および下部パイプ７、８に動かないように圧接した状態で保持するというように手間がかかる。また、非使用時における保管の問題がある。さらに上述のように部品点数が比較的多く、製造コストの抑制が困難である。
本発明は、かかる課題を改善するために提案されたものであって、構造が単純で、保管上の問題もなく、側柵間に生ずる隙間に、首や手を挟めたりすることのないようにした、ベッド等における側柵間の挟込防止具を提供することを目的とする。
【０００４】
【課題を解決するための手段】
前記した課題を解決するために、本発明では、請求項１において、ベッド等におけるサイドフレームに、着脱可能に装着した差し込み式側柵の柵部間を連結して、柵部間に生ずる隙間をカバ−するようにした、長手方向に切り欠いた端面を有する切欠パイプ状杆体によって構成し、この切欠パイプ状杆体内径を、前記柵部を構成する上部横パイプの外径に比較して若干小さめの寸法として、両端側より中間寄りの箇所である中間部を、前記切り欠いた端面が、前記内径と同寸法で開口した状態で形成する一方、前記両端側を、所定の範囲で切り欠いた状態の把持部として、これら把持部は、内径が若干小さくなるように絞り込まれた状態としたベッド等における側柵間の挟込防止具を提案する。
また本発明では、請求項２において、前記杆体の把持部は、前記柵部外周に弾性的に縮径的に係止するべき寸法で、一部を切り欠いた開ループ状に構成してなるベッド等における側柵間の挟込防止具を提案する。
また本発明では、請求項３において、前記杆体は、断面略半円筒状に構成し、前記把持部は、杆体の断面略半円筒状の箇所に比較して、円筒に近い箇所として構成したベッド等における側柵間の挟込防止具を提案する。
さらに本発明では、請求項４において、前記把持部は、前記杆体と別部材によって構成したベッド等における側柵間の挟込防止具を提案する。
【０００５】
請求項１によれば、側柵における双方の柵部に、それぞれ把持部を挟持させることで柵部間に生ずる隙間をカバーすることができる。
【０００６】
請求項２によれば、開ループ状の把持部を柵部に押し込んでいくことにより、装着すべき柵部に弾性的に縮径的に係止し、柵部間に生ずる隙間をカバーすることができる。
【０００７】
請求項３によれば、把持部を柵部に押し込んでいくことで押し広がりながら柵部に係止し、柵部を包み込む状態で保持することができる。
【０００８】
請求項４によれば、柵部に別部材の把持部を押し込んでいくことで押し広がりながら柵部に係止し、保持することができる。
【０００９】
【発明の実施の形態】
次に、本発明にかかるベッド等における側柵間の挟込防止具について、一つの実施の形態を示し、添付の図面に基づいて以下説明する。
図１にベッド等における側柵間の挟込防止具２０を示し、この挟込防止具２０は、ベッドにおけるサイドフレーム２に、着脱可能に装着した差し込み式側柵３、４の柵部３ａ、４ａ間を連結して、柵部３ａ、４ａ間に生ずる隙間Ｇをカバ−するようにした、長手方向に切り欠いた端面を有する切欠パイプ状杆体によって構成している。
この挟込防止具２０は、図２、図３に示すように周知の合成樹脂製のもので、内径を、前記柵部３ａ、４ａの上部横パイプ５、６の外径に比較して若干小さめの寸法としている。
すなわち前記挟込防止具２０は、例えば９０°の範囲で切り欠いた開ループ状に成形したもので、両端側より中間寄りの箇所である中間部２０ａを前記切り欠いた端面が、内径と同寸法で開口した状態で形成されている（図４参照）。
一方、挟込防止具２０の両端側は、ちょうどパイプ材を９０°の範囲で切り欠いた状態の把持部２０ｂ，２０ｂとしている。なお、これら把持部２０ｂ，２０ｂでは、９０°の範囲で切り欠いた端面を内径が若干小さくなるように絞り込まれた状態としてもよい。
【００１０】
以上のようなベッド等における側柵間の挟込防止具２０によれば、ベッドにおけるサイドフレーム２の装着穴（図示省略）に差し込んだ差し込み式側柵３、４における柵部３ａ、４ａ間に生じている隙間Ｇをカバーすることができる（図１参照）。
挟込防止具２０における中間部２０ａを掴んで、両端の把持部２０ｂ，２０ｂの開口面を、柵部３ａ、４ａの上部横パイプ５、６に、上からあてがい、上部横パイプ５、６に押し込んでいくことで、切り欠いた端面が押し広がり、上部横パイプ５、６に把持部２０ｂ，２０ｂが弾性によって包み込むように係止し、装着が完了する。
【００１１】
以上のように側柵３、４における柵部３ａ、４ａ間に生ずる隙間Ｇが、パイプ状のものを成型加工した挟込防止具２０によってカバ−され、人が手首や首を挟み込むような危険を回避することができる。
その際、把持部２０ｂ，２０ｂを上部横パイプ５、６に押し込んでいくことにより、前記上部横パイプ５、６に縮径的に係止し、柵部間に生ずる隙間Ｇをカバーすることができるので、取り付け作業は簡単である。
また、使用しないときは、図１において仮想線で示すように柵部３ａ、４ａの上部横パイプ５、６や、支柱部に把持部２０ｂ，２０ｂを利用し、保持することができるので、保管上も問題はない。
【００１２】
本発明にかかるベッド等における側柵間の挟込防止具は、以下のように構成することもできる。
すなわち、挟込防止具２０を加工する際、把持部２０ｂ，２０ｂは必ずしも両端部でなくてもよい（図５参照）。
かかる形状としても、前述の挟込防止具２０と同様の作用効果をもたらすことができる。
【００１３】
また、本発明にかかる挟込防止具２０は、図６に示すように構成することも可能である。
この場合の挟込防止具２０では、両端の把持部２０ｂ，２０ｂは、パイプ材を９０°の範囲で切り欠いた形状とする一方、中間を、略半円筒状に切り欠いた中間半円筒部２０ｃとしてもよい。
かかる挟込防止具２０によっても、把持部２０ｂ，２０ｂは、装着すべき柵部３ａ、４ａの上部横パイプ５、６に縮径的に係止し（図７参照）、柵部間に生ずる隙間Ｇをカバーすることができるので、取り付け作業は簡単であり、使用しないときは、柵部３ａ、４ａの上部横パイプ５、６や、支柱部に把持部２０ｂ，２０ｂを利用し、保持することができる。この時、中間半円筒部２０ｃも上部横パイプ５、６や、支柱部に密接状態となるので（図８参照）、保管上も問題はない。
【００１４】
また、本発明にかかる挟込防止具２０は、図９に示すように構成することも可能である。
この場合の挟込防止具２０では、把持部２０ｂ，２０ｂは両端より中間寄りに形成し、その他、中間部２０ａと、両端箇所とは、略半円筒状に切り欠いた中間半円筒部２０ｃと同様に成形されている。
【００１５】
さらに本発明にかかる挟込防止具２０は、図１０に示すように構成することも可能である。
この場合の挟込防止具２０では、全体を略半円筒状に成形し、両端側に、別部材で構成した把持部２０ｂ，２０ｂを設けるようにしてもよい。この場合、把持部２０ｂ，２０ｂは、弾性係数の異なる素材であってもよい。その場合、把持部２０ｂ，２０ｂは、挟込防止具２０に適宜な手段（接着、融着等）で一体化することができる（図１１参照）。
【００１６】
【発明の効果】
以上の通り、本発明によれば、側柵によりカバ−しきれない隙間に、単純な構造の挟込防止具を架け渡して固定するだけで、人の手首や首を挟み込んでしまうようなおそれをなくすことができる。
その上、使用しないときは、柵部を利用して保持しておけるので、保管上の問題もなく、構造が単純であり、製造コストを抑制することができる。
【００１７】
【図面の簡単な説明】
【図１】本発明にかかるベッド等における側柵間の挟込防止具の一つの実施形態を示す外観図である。
【図２】図１に示す挟込防止具の側面図である。
【図３】図１に示す挟込防止具を下から見た平面図である。
【図４】図２に示す挟込防止具において、Ａ−Ａ線に沿って切断して見た切断矢視図である。
【図５】本発明にかかる挟込防止具の別の実施態様にかかる側面図である。
【図６】本発明にかかる挟込防止具の別の実施態様にかかる側面図である。
【図７】図６に示す挟込防止具において、Ｂ−Ｂ線に沿って切断して見た切断矢視図である。
【図８】図６に示す挟込防止具において、Ｃ−Ｃ線に沿って切断して見た切断矢視図である。
【図９】本発明にかかる挟込防止具の別の実施態様にかかる側面図である。
【図１０】本発明にかかる挟込防止具の別の実施態様にかかる側面図である。
【図１１】図１０に示す挟込防止具において、Ｄ−Ｄ線に沿って切断して見た切断矢視図である。
【図１２】従来の連結具を側柵間に配置して隙間をカバーするところを示した側面図である。
【図１３】図１２に示す連結具の外観斜視図である。
【符号の説明】
１                  連結柵
２                  サイドフレーム
３、４              側柵
３ａ、４ａ          柵部
５、６              上部横パイプ
７、８              下部パイプ
９                  第１連結横枠
１０                  第１連結横枠
１１、１２            支柱パイプ
１３                  固定手段
２０                  挟込防止具
２０ａ                中間部
２０ｂ                把持部
２０ｃ                中間半円筒部
Ｇ                    隙間
【図１】
0003608731.tif 000002
【図２】
0003608731.tif 000003
【図３】
0003608731.tif 000004
【図４】
0003608731.tif 000005
【図５】
0003608731.tif 000006
【図６】
0003608731.tif 000007
【図７】
0003608731.tif 000008
【図８】
0003608731.tif 000009
【図９】
0003608731.tif 000010
【図１０】
0003608731.tif 000011
【図１１】
0003608731.tif 000012
【図１２】
0003608731.tif 000013
【図１３】
0003608731.tif 000014